【手続補正書】
【提出日】平成18年11月10日(2006.11.10)
【手続補正１】
【補正対象書類名】特許請求の範囲
【補正対象項目名】全文
【補正方法】変更
【補正の内容】
【特許請求の範囲】
【請求項１】
第１の記録装置と第２の記録装置とからなる通信システムにおいて、
前記第１の記録装置は、
番組の記録の予約のための第１の情報および前記番組を記録する機器を選択するための第２の情報に基づいて、前記番組の記録を自分に予約できるか否かを判定する判定手段と、
自分に予約できないと判定された場合、前記第２の情報に応じた前記機器の状態を要求するための第３の情報を前記第２の記録装置に送信する第１の送信手段と
を備え、
前記第２の記録装置は、
前記第１の記録装置から送信されてくる前記第３の情報を受信する第１の受信手段と、
前記第３の情報に応じて、自分の状態を相手に通知するための第４の情報を前記第１の記録装置宛に送信する第２の送信手段と
を備え、
前記第１の記録装置は、さらに、
前記第２の記録装置から送信されてくる前記第４の情報を受信する第２の受信手段と、
前記第４の情報に基づいて、前記第４の情報を送信してきた前記第２の記録装置についての優先順位を示す優先度を評価する評価手段と
を備え、
前記第１の送信手段は、前記優先度に応じて、前記第１の情報を前記第２の記録装置に送信する
ことを特徴とする通信システム。
【請求項２】
番組を記録する記録装置において、
前記番組の記録の予約のための第１の情報および前記番組を記録する機器を選択するための第２の情報に基づいて、前記番組の記録を自分に予約できるか否かを判定する第１の判定手段と、
自分に予約できないと判定された場合、前記第２の情報に応じた前記機器の状態を要求するための第３の情報を他の機器に送信する送信手段と、
前記第３の情報に応じて、前記他の機器から送信されてくる、前記他の機器の状態を通知するための第４の情報を受信する受信手段と、
前記第４の情報に基づいて、前記第４の情報を送信してきた前記他の機器についての優先順位を示す優先度を評価する評価手段と
を備え、
前記送信手段は、前記優先度に応じて、前記第１の情報を前記他の機器に送信する
ことを特徴とする記録装置。
【請求項３】
ユーザの操作に応じて、前記第１の情報の選択を受け付ける第１の受付手段と、
前記ユーザの操作に応じて、前記第２の情報の選択を受け付ける第２の受付手段と
を備え、
前記第１の判定手段は、選択された前記第１の情報および前記第２の情報に基づいて、
前記番組の記録を自分に予約できるか否かを判定する
ことを特徴とする請求項２に記載の記録装置。
【請求項４】
前記第２の情報に基づいて、前記第３の情報を生成する生成手段を備え、
前記送信手段は、生成した前記第３の情報を前記他の機器に送信する
ことを特徴とする請求項２に記載の記録装置。
【請求項５】
前記第４の情報および前記優先度に基づいて、複数の前記他の機器のそれぞれに、前記
番組を分割して記録させるための第５の情報を生成する生成手段を備え、
前記送信手段は、生成した前記第５の情報を前記他の機器に送信する
ことを特徴とする請求項２に記載の記録装置。
【請求項６】
予約された番組の記録を開始する時刻より、予め定めた時間だけ前の時刻において、自分で前記番組を記録することが可能であるか否かを判定する第２の判定手段と
を備え、
前記送信手段は、自分に予約できないと判定された場合、前記第３の情報を前記他の機器に送信する
ことを特徴とする請求項２に記載の記録装置。
【請求項７】
前記受信手段は、前記他の機器の１つから送信されてくる、前記他の機器が予約された番組を記録できないことを示す第５の情報を受信し、
前記送信手段は、受信した前記第５の情報に応じて、前記第３の情報を前記他の機器以外の他の機器宛に送信する
ことを特徴とする請求項２に記載の記録装置。
【請求項８】
番組を記録する記録装置の記録方法において、
前記番組の記録の予約のための第１の情報および前記番組を記録する機器を選択するための第２の情報に基づいて、前記番組の記録を自分に予約できるか否かを判定する判定ステップと、
自分に予約できないと判定された場合、前記第２の情報に応じた前記機器の状態を要求するための第３の情報の他の機器への送信を制御する送信制御ステップと、
前記第３の情報に応じて、前記他の機器から送信されてくる、前記他の機器の状態を通知するための第４の情報の受信を制御する受信制御ステップと、
前記第４の情報に基づいて、前記第４の情報を送信してきた前記他の機器についての優先順位を示す優先度を評価する評価ステップと
を含み、
前記送信制御ステップは、前記優先度に応じて、前記第１の情報の前記他の機器への送信を制御する
ことを特徴とする記録方法。
【請求項９】
番組を記録する記録の処理を、コンピュータに行わせるプログラムにおいて、
前記番組の記録の予約のための第１の情報および前記番組を記録する機器を選択するための第２の情報に基づいて、前記番組の記録を自分に予約できるか否かを判定する判定ステップと、
自分に予約できないと判定された場合、前記第２の情報に応じた前記機器の状態を要求するための第３の情報の他の機器への送信を制御する送信制御ステップと、
前記第３の情報に応じて、前記他の機器から送信されてくる、前記他の機器の状態を通知するための第４の情報の受信を制御する受信制御ステップと、
前記第４の情報に基づいて、前記第４の情報を送信してきた前記他の機器についての優先順位を示す優先度を評価する評価ステップと
を含み、
前記送信制御ステップは、前記優先度に応じて、前記第１の情報の前記他の機器への送信を制御する
ことを特徴とするプログラム。
【請求項１０】
番組を記録する記録装置において、
他の機器から送信されてくる、前記番組を記録する装置を選択するための項目に応じた自分の状態を要求する第１の情報を受信する受信手段と、
前記第１の情報に応じて、自分の状態を相手に通知するための第２の情報を前記他の機器宛に送信する送信手段と
を備えることを特徴とする記録装置。
【請求項１１】
受信した前記第１の情報に基づいて、前記第２の情報を生成する生成手段を備え、
前記送信手段は、生成した前記第２の情報を前記他の機器宛に送信する
ことを特徴とする請求項１０に記載の記録装置。
【請求項１２】
所定の時間が経過した場合、自分で予約された番組を記録することが可能であるか否かを判定する判定手段を備え、
前記送信手段は、自分に予約できないと判定された場合、自分が前記番組を記録できないことを示す第３の情報を前記他の機器宛に送信する
ことを特徴とする請求項１０に記載の記録装置。
【請求項１３】
番組を記録する記録装置の記録方法において、
他の機器から送信されてくる、前記番組を記録する装置を選択するための項目に応じた自分の状態を要求する第１の情報の受信を制御する受信制御ステップと、
前記第１の情報に応じて、自分の状態を相手に通知するための第２の情報の前記他の機器宛への送信を制御する送信制御ステップと
を含むことを特徴とする記録方法。
【請求項１４】
番組を記録する記録の処理を、コンピュータに行わせるプログラムにおいて、
他の機器から送信されてくる、前記番組を記録する装置を選択するための項目に応じた自分の状態を要求する第１の情報の受信を制御する受信制御ステップと、
前記第１の情報に応じて、自分の状態を相手に通知するための第２の情報の前記他の機器宛への送信を制御する送信制御ステップと
を含むことを特徴とするプログラム。
【請求項１５】
請求項９または請求項１４に記載のプログラムを記録している記録媒体。
【手続補正２】
【補正対象書類名】明細書
【補正対象項目名】００１５
【補正方法】変更
【補正の内容】
【００１５】
受信手段は、他の機器の１つから送信されてくる、他の機器が予約された番組を記録できないことを示す第５の情報を受信し、送信手段は、受信した第５の情報に応じて、第３の情報を他の機器以外の他の機器宛に送信することができる。
【手続補正３】
【補正対象書類名】明細書
【補正対象項目名】００３５
【補正方法】変更
【補正の内容】
【００３５】
受信手段は、他の機器の１つから送信されてくる、他の機器が予約された番組を記録できないことを示す第５の情報を受信し、送信手段は、受信した第５の情報に応じて、第３の情報を他の機器以外の他の機器宛に送信することができる。
【手続補正４】
【補正対象書類名】明細書
【補正対象項目名】０２４０
【補正方法】変更
【補正の内容】
【０２４０】
例えば、機器評価部１２３は、ビデオレコーダ１３−ｋから送信されたステータス応答であって、通信部３６から供給されてくる、高画質モードの残記録可能時間が十分ではなく、かつ、長時間モードの残記録可能時間も十分ではないことを示す残記録時間を少なくとも含むステータス応答を基に、ビデオレコーダ１３−ｋにおける長時間モードの残記録可能時間は十分でないと判定し、評価結果として、ビデオレコーダ１３−ｋに対する“３”である優先度を優先度判定部１２４に供給する。また、同様に、機器評価部１２３は、評価結果として、ビデオレコーダ１３−ｍに対する“３”である優先度を優先度判定部１２４に供給する。
【手続補正５】
【補正対象書類名】明細書
【補正対象項目名】０２６１
【補正方法】変更
【補正の内容】
【０２６１】
一方、ステップＳ１１８において、希望予約時間まで予約できなかった場合、ステップＳ１１９に進み、分割予約処理部１２５は、エラーメッセージをLCD３９の画面に表示させて、処理を図９のステップＳ４１に戻し、それ以降の処理を実行させる。